(57)【要約】【課題】電極を異方導電部材で接合した場合でも、導電性粒子との接合点において電極が割れることがなく、その結果、断線が起こらず、良好な電気的接続を得ることができる情報表示用パネルを提供する。【解決手段】観察側パネル基板の表示領域に設けた透明導電膜で構成した電極から延びる、表示領域の外側に形成された配線電極３２の先端部である接続用電極３８と、背面側パネル基板の表示領域の外側であって、駆動回路側との接続端子部に延びる配線電極３５の先端部である接続用電極３９とを電気的に接続するパネル基板間導通を行うにあたり、前記観察側パネル基板の配線電極の先端部である接続用電極３８および前記背面側パネル基板の駆動回路側との接続端子部に延びる配線電極の先端部である接続用電極３９との双方において、少なくともパネル基板間導通のための異方導電部材３６を配置する部分の電極を金属膜で構成した電極とした。【選択図】図４
2010169759.tif 000002
【特許請求の範囲】
【請求項１】
観察側パネル基板の表示領域に設けた電極と背面側パネル基板の表示領域に設けた電極との間に、帯電性粒子を含んだ粒子群で構成した表示媒体を封入し、前記電極間に印加した電圧で形成した電界で、前記表示媒体を駆動させて情報画像を表示する情報表示用パネルにおいて、観察側パネル基板の表示領域に設けた透明導電膜で構成した電極から延びる、表示領域の外側に形成された配線電極の先端部である接続用電極と、背面側パネル基板の表示領域の外側であって、駆動回路側との接続端子部に延びる配線電極の先端部である接続用電極とを電気的に接続するパネル基板間導通を行うにあたり、前記観察側パネル基板の配線電極の先端部である接続用電極および前記背面側パネル基板の駆動回路側との接続端子部に延びる配線電極の先端部である接続用電極との双方において、少なくともパネル基板間導通のための異方導電部材を配置する部分の電極を金属膜で構成した電極としたことを特徴とする情報表示用パネル。
【請求項２】
前記観察側パネル基板の表示領域に設けた透明導電膜で構成した電極から延びる、表示領域の外側に形成された配線電極の先端部である接続用電極と、前記背面側パネル基板の表示領域の外側であって、駆動回路側との接続端子部に延びる配線電極の先端部である接続用電極とを、金属膜で構成した電極としたことを特徴とする請求項１に記載の情報表示用パネル。
【請求項３】
前記観察側パネル基板の表示領域に設けた電極および前記背面側パネル基板の表示領域に設けた電極をストライプ状に構成し、前記ストライプ電極を対向直交交差させて形成した電極対間に電圧を印加して前記表示媒体を電気的に駆動させて情報画像を表示する情報表示用パネルにおいて、観察側パネル基板の表示領域に設けたストライプ電極から延びる、表示領域の外側に形成された配線電極の先端部である接続用電極と、背面側パネル基板の表示領域の外側であって、駆動回路側との接続端子部に延びる配線電極の先端部である接続用電極とを電気的に接続するパネル基板間導通を行うにあたり、観察側パネル基板の前記配線電極および背面側パネル基板の駆動回路側との接続端子部に延びる前記配線電極の先端部である接続用電極との双方において、少なくともパネル基板間導通のための異方導電部材を配置する部分の電極を金属膜で構成した電極としたことを特徴とする請求項１に記載の情報表示用パネル。
【請求項４】
前記観察側パネル基板の表示領域に設けた透明導電膜で構成したストライプ電極から延びる、表示領域の外側に形成された配線電極の先端部である接続用電極と、前記背面側パネル基板の表示領域の外側であって、駆動回路側との接続端子部に延びる配線電極およびその先端部である接続用電極とを、金属膜で構成した電極としたことを特徴とする請求項３に記載の情報表示用パネル。
【請求項５】
前記観察側パネル基板の表示領域に設けたストライプ電極を、透明導電膜および前記ストライプ電極と電気的に接続している金属細線とで構成し、観察側パネル基板の表示領域に設けたストライプ状電極から延びる、表示領域の外側に形成された配線電極およびその先端部である接続用電極とを前記金属細線で構成し、背面側パネル基板の表示領域の外側であって、駆動回路側との接続端子部に延びる配線電極の先端部である接続用電極とを電気的に接続するパネル基板間導通を行うにあたり、背面側パネル基板の駆動回路側との接続端子部に延びる前記配線電極の先端部である接続用電極において、少なくともパネル基板間導通のための異方導電部材を配置する部分の電極を金属膜で構成した電極としたことを特徴とする請求項１に記載の情報表示用パネル。
【請求項６】
背面側パネル基板の、表示領域に設けるストライプ電極および表示領域の外側であって、駆動回路側との接続端子部に延びる配線電極とその先端部である接続用電極を一体の金属膜で構成した電極としたことを特徴とする請求項１〜５のいずれか１項に記載の情報表示用パネル。
【請求項７】
パネル基板間導通のための異方導電部材を配置する、観察側パネル基板の表示領域に設けた透明導電膜で構成した電極から延びる、表示領域の外側に形成された配線電極の先端部である接続用電極および背面側パネル基板の表示領域の外側であって、駆動回路側との接続端子部に延びる配線電極の先端部である接続用電極との双方において、隣接する各接続用電極間のスペースをＤ１とし、異方導電部材が含む導電粒子の平均粒子径をＤ２としたとき、Ｄ１/Ｄ２＞３となるように構成したことを特徴とする請求項１〜６のいずれか１項に記載の情報表示用パネル。
【発明の詳細な説明】
【技術分野】
【０００１】
本発明は、帯電性粒子を含んだ粒子群で構成した表示媒体を用いて、この表示媒体を双方の基板の表示領域に設けた電極を対向させて形成した電極対間に電圧を印加させることによって駆動させて画像等の情報表示を行う方式の情報表示用パネルに関するものである。
【背景技術】
【０００２】
従来、帯電性粒子を含んだ粒子群で構成した表示媒体を用いて、この表示媒体を双方の基板の表示領域に設けた電極を対向させて形成した電極対間に電圧を印加させることによって駆動させて画像等の情報表示を行う方式の情報表示用パネルにおいて、観察面側の表示領域に設けられた電極を表示領域の外側に引き出した配線電極と観察面側の配線電極を背面側で外部装置と接続するために用いる背面側に設けた配線電極とを、表示領域の外側において、異方導電接続部材（Anisotropic Conductive Film：ＡＣＦ、Anisotropic Conductive Paste：ＡＣＰ、Anisotropic Conductive Seal：ＡＣＳ）を介して電気的に接続する技術が知られている（例えば、特許文献１参照）。
【０００３】
図１０（ａ）、（ｂ）はそれぞれ従来の情報表示用パネルにおける観察面側および背面側に設ける電極と異方導電性シール剤（ＡＣＳ）との関係を説明するための図である。図１０（ａ）、（ｂ）に示す例では、説明を簡単にするために、情報表示用パネルを構成する観察面側および背面側の電極と異方導電性シール剤のみを示すとともに、表示画素を構成するストライプ状電極については観察面側および背面側ともに数を４本としている。
【０００４】
図１０（ａ）、（ｂ）に示す例において、観察面側の電極は、表示領域に設けられたストライプ電極５１と、ストライプ電極５１を表示領域の外側に延長した配線電極５２と、から構成され、配線電極５２の先端部を接続用電極とし、ストライプ電極５１および配線電極５２は一体に透明な酸化インジウム錫（ＩＴＯ）等の無機導電材料から形成されている。また、背面側の電極は、表示領域に観察面側のストライプ電極５１と直交して設けられたストライプ電極５３および表示領域の外側のストライプ電極５３から引き出した配線電極５４を一体に金属電極で構成している。さらに、背面側の基板には、観察面側の配線電極５２の先端にあたる接続用電極を背面側で外部装置と接続するために用いる配線電極５５をも設けている。そして、導電性粒子を含んだ異方導電性シール剤５６（ＡＣＳとも記載する）により、観察面側の配線電極５２の先端部と背面側の配線電極５５の先端部とを、図中○印の部分で電気的に接続している。また、○印で示した異方導電接続部材による電気的接続部分を、図の左右どちらか一方とするように、配線電極５２、５５を形成した構成にすることもある。
【先行技術文献】
【特許文献】
【０００５】
【特許文献１】特開２００７−３２２８０５号公報
【発明の概要】
【発明が解決しようとする課題】
【０００６】
上述した図１０（ａ）、（ｂ）に示す例では、観察面側に設けるストライプ電極５１および配線電極５２を、すべてＩＴＯ等のあまり可とう性に優れていない透明導電膜をパターニングして形成しており、配線電極５２先端部の接続用電極と背面側の配線電極５５先端部の接続用電極との電気的接続を、導電性粒子を含んだシール剤５６（接着機能とシール機能とを備えた基板接合剤）中の導電性粒子で行ったときに、導電性粒子との接合点において透明導電膜からなる配線電極５２が割れることがあり、断線となってしまう不都合があった。
【０００７】
また、情報表示用パネルを構成する２枚の対向基板を、ともにフレキシブル基板として、情報表示用パネルをフレキシブルに構成した場合には、ＡＣＳ接合部分でもパネルが曲げられることがあり、その場合には特に大きな応力が、ＡＣＳ中の導電性粒子と基板上の電極との接触点に掛かることになり、上述した例と同様に、観察面側の配線電極５２が割れやすくなるという問題があった。
【０００８】
本発明の目的は上述した問題点を解消して、電極を異方導電部材で接合した場合でも、導電性粒子との接合点において電極が割れることがなく、その結果、断線が起こらず、良好な電気的接続を得ることができる情報表示用パネルを提供しようとするものである。
【課題を解決するための手段】
【０００９】
本発明の情報表示用パネルは、観察側パネル基板の表示領域に設けた電極と背面側パネル基板の表示領域に設けた電極との間に、帯電性粒子を含んだ粒子群で構成した表示媒体を封入し、前記電極間に印加した電圧で形成した電界で、前記表示媒体を駆動させて情報画像を表示する情報表示用パネルにおいて、観察側パネル基板の表示領域に設けた透明導電膜で構成した電極から延びる、表示領域の外側に形成された配線電極の先端部である接続用電極と、背面側パネル基板の表示領域の外側であって、駆動回路側との接続端子部に延びる配線電極の先端部である接続用電極とを電気的に接続するパネル基板間導通を行うにあたり、前記観察側パネル基板の配線電極の先端部である接続用電極および前記背面側パネル基板の駆動回路側との接続端子部に延びる配線電極の先端部である接続用電極との双方において、少なくともパネル基板間導通のための異方導電部材を配置する部分の電極を金属膜で構成した電極としたことを特徴とするものである。
【００１０】
また、本発明の情報表示用パネルの好適例としては、前記観察側パネル基板の表示領域に設けた透明導電膜で構成した電極から延びる、表示領域の外側に形成された配線電極の先端部である接続用電極と、前記背面側パネル基板の表示領域の外側であって、駆動回路側との接続端子部に延びる配線電極の先端部である接続用電極とを、金属膜で構成した電極としたこと、前記観察側パネル基板の表示領域に設けた電極および前記背面側パネル基板の表示領域に設けた電極をストライプ状に構成し、前記ストライプ電極を対向直交交差させて形成した電極対間に電圧を印加して前記表示媒体を電気的に駆動させて情報画像を表示する情報表示用パネルにおいて、観察側パネル基板の表示領域に設けたストライプ電極から延びる、表示領域の外側に形成された配線電極の先端部である接続用電極と、背面側パネル基板の表示領域の外側であって、駆動回路側との接続端子部に延びる配線電極の先端部である接続用電極とを電気的に接続するパネル基板間導通を行うにあたり、観察側パネル基板の前記配線電極および背面側パネル基板の駆動回路側との接続端子部に延びる前記配線電極の先端部である接続用電極との双方において、少なくともパネル基板間導通のための異方導電部材を配置する部分の電極を金属膜で構成した電極としたこと、前記観察側パネル基板の表示領域に設けた透明導電膜で構成したストライプ電極から延びる、表示領域の外側に形成された配線電極の先端部である接続用電極と、前記背面側パネル基板の表示領域の外側であって、駆動回路側との接続端子部に延びる配線電極およびその先端部である接続用電極とを、金属膜で構成した電極としたこと、前記観察側パネル基板の表示領域に設けたストライプ電極を、透明導電膜および前記ストライプ電極と電気的に接続している金属細線とで構成し、観察側パネル基板の表示領域に設けたストライプ状電極から延びる、表示領域の外側に形成された配線電極およびその先端部である接続用電極とを前記金属細線で構成し、背面側パネル基板の表示領域の外側であって、駆動回路側との接続端子部に延びる配線電極の先端部である接続用電極とを電気的に接続するパネル基板間導通を行うにあたり、背面側パネル基板の駆動回路側との接続端子部に延びる前記配線電極の先端部である接続用電極において、少なくともパネル基板間導通のための異方導電部材を配置する部分の電極を金属膜で構成した電極としたこと、背面側パネル基板の、表示領域に設けるストライプ電極および表示領域の外側であって、駆動回路側との接続端子部に延びる配線電極とその先端部である接続用電極を一体の金属膜で構成した電極としたこと、パネル基板間導通のための異方導電部材を配置する、観察側パネル基板の表示領域に設けた透明導電膜で構成した電極から延びる、表示領域の外側に形成された配線電極の先端部である接続用電極および背面側パネル基板の表示領域の外側であって、駆動回路側との接続端子部に延びる配線電極の先端部である接続用電極との双方において、隣接する各接続用電極間のスペースをＤ１とし、異方導電部材が含む導電粒子の平均粒子径をＤ２としたとき、Ｄ１/Ｄ２＞３となるように構成したこと、がある。
【発明の効果】
【００１１】
本発明によれば、観察側パネル基板の表示領域に設けた透明導電膜で構成した電極から延びる、表示領域の外側に形成された配線電極の先端部である接続用電極と、背面側パネル基板の表示領域の外側であって、駆動回路側との接続端子部に延びる配線電極の先端部である接続用電極とを電気的に接続するパネル基板間導通を行うにあたり、前記観察側パネル基板の配線電極の先端部である接続用電極および前記背面側パネル基板の駆動回路側との接続端子部に延びる配線電極の先端部である接続用電極との双方において、少なくともパネル基板間導通のための異方導電部材を配置する部分の電極を金属膜で構成した電極としたことで、導電性粒子との接合点において電極が割れることがなくなり、断線が起こらない、良好な電気的接続ができるようになる。
【００１２】
また、双方のパネル基板をフレキシブル基板として構成したフレキシブルな情報表示用パネルとした場合において、情報表示用パネルを曲げたときに応力が集中する電気的接続点に、耐亀裂性に優れた金属製導電膜を配置したので、亀裂発生による割れ、破壊が起こりにくくなり、断線による不具合が起こりにくくなる。
【図面の簡単な説明】
【００１３】
【図１】（ａ）、（ｂ）はそれぞれ本発明の情報表示用パネルの一例を説明するための図である。
【図２】（ａ）、（ｂ）はそれぞれ本発明の情報表示用パネルの他の例を説明するための図である。
【図３】本発明の情報表示用パネルにおける観察面側および背面側に設ける電極と異方導電部材との具体的な関係の一例を説明するための図である。
【図４】本発明の情報表示用パネルにおける観察面側および背面側に設ける電極と異方導電部材との具体的な関係の他の例を説明するための図である。
【図５】（ａ）、（ｂ）はそれぞれ本発明の情報表示用パネルにおける観察面側および背面側に設ける電極と異方導電部材との好適な関係の一例を説明するための図である。
【図６】（ａ）、（ｂ）はそれぞれ本発明の情報表示用パネルにおける観察面側および背面側に設ける電極と異方導電部材との好適な関係の他の例を説明するための図である。
【図７】（ａ）、（ｂ）はそれぞれ本発明の情報表示用パネルにおける観察面側および背面側に設ける電極と異方導電部材との関係のさらに他の例を説明するための図である。
【図８】（ａ）〜（ｃ）はそれぞれ本発明の情報表示用パネルにおける観察面側および背面側に設ける電極と異方導電部材との関係のさらに他の例を説明するための図である。
【図９】（ａ）、（ｂ）はそれぞれ本発明の情報表示用パネルにおける異方導電接続の一例を説明するための図である
【図１０】（ａ）、（ｂ）はそれぞれ従来の情報表示用パネルにおける観察面側および背面側に設ける電極と異方導電部材との関係の一例を説明するための図である。
【発明を実施するための形態】
【００１４】
まず、本発明を適用できる情報表示用パネルの一例として帯電粒子移動方式の情報表示用パネルにおける構成および動作の基本的概念を説明する。前記情報表示用パネルでは、対向する２枚の基板間に封入した帯電性粒子を含んだ粒子群として構成した表示媒体に電界が付与される。付与された電界方向にそって、表示媒体が電界による力やクーロン力などによって引き寄せられ、表示媒体が電界方向の変化によって移動することにより、画像等の情報表示がなされる。従って、表示媒体が、均一に移動し、かつ、表示情報を書き換える時あるいは表示した情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１５】
前記帯電性粒子を含んだ粒子群を表示媒体として用いる情報表示用パネルの例を、図１（ａ）、（ｂ）〜図３に基づき説明する。
【００１６】
図１（ａ）、（ｂ）に示す例では、少なくとも光学的反射率および帯電性を有する粒子を含んだ粒子群として構成した光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ストライプ電極）と基板２に設けた電極６（ストライプ電極）とが対向直交交差して形成する画素電極対に電圧を印加することにより発生する電界に応じて、基板１、２と垂直に移動させる。そして、図１（ａ）に示すように白色表示媒体３Ｗを観察者に視認させて白色表示を、あるいは、図１（ｂ）に示すように黒色表示媒体３Ｂを観察者に視認させて黒色表示を、白黒のドットマトリックスで表示している。なお、図１（ａ）、（ｂ）において、手前にある隔壁は省略している。
【００１７】
図２（ａ）、（ｂ）に示す例では、三個のセルで表示単位を構成するカラー表示の例を示している。図２（ａ）、（ｂ）に示す例では、セルと画素とを１対１に対応させ、表示媒体としてはすべてのセル２１−１〜２１−３に白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第１のセル２１−１、第２のセル２１−２および第３のセル２１−３の三個のセルすなわち３つの画素で表示単位を構成している。本例では、図２（ａ）に示すように、観察者側に、すべての第１セル２１−１〜第３のセル２１−３において白色表示媒体３Ｗを移動することで、観察者に対し白色ドット表示を行うか、あるいは、図２（ｂ）に示すように、観察者側に、すべての第１セル２１−１〜第３のセル２１−３において黒色表示媒体３Ｂを移動することで、観察者に対し黒色ドット表示を行っている。なお、図２（ａ）、（ｂ）において、手前にある隔壁は省略している。各セル内いいかえれば各画素位置における表示媒体の移動のさせ方で多色カラー表示をドットマトリックス表示方式で行うことができる。
【００１８】
本発明の特徴は、上述した構成の帯電性粒子を含んだ粒子群で構成した表示媒体を用いて、この表示媒体を双方の基板に設けた電極が対向して形成する電極対間に電圧を印加させることによって電気的に駆動させて画像等の情報表示を行う方式の情報表示用パネルにおいて、双方の基板に設ける電極および電極間の異方導電部材との関係を最適化する点にある。
【００１９】
次に、図３および図４を参照して、具体的な本発明の情報表示用パネルの構成について説明する。
【００２０】
図３に示す例において、観察面側の電極は、表示領域に設けられたストライプ電極３１と、ストライプ電極３１から表示領域の外側に引き出した配線電極３２と、から構成される。背面側の電極は、表示領域に観察面側のストライプ電極３１と直交して設けられたストライプ電極３３と、ストライプ電極３３から外側に引き出した配線電極３４と、から構成されるとともに、観察面側の配線電極３２を背面側で外部装置と接続するために用いる配線電極３５をも設けている。図３に示す例において、観察面側のストライプ電極３１と配線電極３２および背面側のストライプ電極３３と配線電極３４は、酸化インジウム錫（ＩＴＯ）等の無機導電材料から構成されている。そして、導電性粒子を含んだ異方導電部材３６（ここでは、パネルの外周をシールする機能を持たせた異方導電性シール剤（ＡＣＳ））により、観察面側の配線電極３２先端の接続用電極３８と背面側の配線電極３５先端の接続用電極３９とを、図中○印の部分で電気的に接続している。この構成において、本発明の特徴は、観察面側の接続用電極３８および背面側の接続用電極３９を金属膜で構成した点にある。なお、○印で示した異方導電部材３６による電気的接続部分を、図の左右どちらか一方とするように、配線電極３２、３５を形成した構成にすることもある。
【００２１】
図３に示す例において、Ｔで示す、背面基板に設けた、背面側ストライプ電極３３と接続する配線電極３４の端部、および、観察面側のストライプ電極３１の先端の接続用電極３８と異方導電部材３６を介して接続する接続用電極３９とは反対の接続電極３５の端部は、駆動用ＩＣがＴＡＢ（Tape Automated Bonding）実装されたフレキシブルケーブルを接続したり、駆動用ＩＣを背面側基板の辺部に配置した接続用電極端子部に直接実装（ＣＯＰ：Chip on Plastic又はＣＯＧ：Chip on Glass）することで、外部回路としての駆動用ＩＣと接続される。
【００２２】
図３に示す例では、導電性粒子を含んだ異方導電部材３６により接続する、観察面側の配線電極３２先端の接続用電極３８と背面側の配線電極３５先端の接続用電極３９とが、いずれも、可とう性および導電性に優れた金属材料から構成されているため、観察面側の配線電極３２先端の接続用電極３８がＩＴＯ等の無機導電性材料で構成されていた従来例で発生していた、観察面側の配線電極３２先端の接続用電極３８の割れが発生せず、断線がなくなり、良好な電気的接続ができるようになる。また、双方のパネル基板をフレキシブル基板として構成したフレキシブルな情報表示用パネルとした場合において、情報表示用パネルを曲げたときに応力が集中する電気的接続点に、耐亀裂性に優れた金属製導電膜からなる接続用電極３８、３９を配置したので、亀裂発生による割れ、破壊が起こりにくくなり、断線による不具合が起こりにくくなる。
【００２３】
図４に示す例では、図３に示す例においてＩＴＯ等の無機導電性材料から形成された背面側のストライプ電極３３および配線電極３５を、金属膜で形成するとともに、図３に示す例においてパネルのシール機能を持たせた異方導電部材３６（ＡＣＳ）を、観察面側の接続用電極３８と背面側の接続用電極３９との接続部分にのみ設けたパネルの接着機能を持たせた異方導電部材３６（例えばＡＣＰ、ＡＣＦ）として構成している。他の構成は図３に示した例と同じであり、図３と同等の効果を得ることができる。
【００２４】
次に、図５（ａ）、（ｂ）乃至図８（ａ）〜（ｃ）を参照して、本発明の情報表示用パネルの好適例の構成について説明する。
【００２５】
図５（ａ）、（ｂ）に示す例において、観察面側の電極は、表示領域に設けられたストライプ電極３１と、ストライプ電極３１から表示領域の外側に引き出した配線電極３２と、から構成される。本実施例の情報表示用パネルの特徴は、観察面側の電極として、ストライプ電極３１を透明なＩＴＯ等の無機導電性材料から形成するとともに、ストライプ電極３１と電気的な接続を保った状態で、配線電極３２の全体を可とう性および導電性に優れた金属膜をパターニングして形成して、配線電極３２先端の接続用電極３８も金属膜で形成した点である。背面側の電極は、表示領域に観察面側のライン電極３１と直交して設けられたストライプ電極３３および表示領域の外側のストライプ電極３３を延長した配線電極３４を一体に金属電極で構成している。また、背面側の基板には、観察面側の金属材料からなる配線電極３２を背面側で外部装置と接続するために用いる配線電極３５をも設けている。そして、導電性粒子を含んだ異方導電部材３６（ここではＡＣＳ）により、観察面側の金属材料からなる配線電極３２先端の接続用電極３８と背面側の配線電極３５先端の接続用電極３９とを、図中○印の部分で電気的に接続している。また、○印で示した異方導電部材３６による電気的接続部分を、図の左右どちらか一方とするように、配線電極３２、３５を形成した構成にすることもある。
【００２６】
なお、図５（ａ）、（ｂ）に示す例において、Ｔで示す、背面側基板に設けた、背面側のストライプ電極３３と接続する配線電極３４の端部、および、観察面側のストライプ電極３３と異方導電部材３６を介して接続する配線電極３５先端の接続用電極３９とは反対側の端部は、駆動用ＩＣがＴＡＢ（Tape Automated Bonding）実装されたフレキシブルケーブルを接続したり、駆動用ＩＣを背面側基板の辺部に配置した接続用電極端子部に直接実装（ＣＯＰ：Chip on Plastic又はＣＯＧ：Chip on Glass）することで、外部回路としての駆動用ＩＣと接続される。
【００２７】
図５（ａ）、（ｂ）に示す例では、導電性粒子を含んだ異方導電部材３６により接続する、観察面側の配線電極３２先端の接続用電極３８と背面側の配線電極３５先端の接続用電極３９とが、いずれも、可とう性および導電性に優れた金属材料から構成されているため、観察面側の配線電極がＩＴＯ等の無機導電性材料で構成されていた従来例で発生していた、観察面側の配線電極の割れが発生せず、断線がなくなり、良好な電気的接続ができるようになる。また、双方のパネル基板をフレキシブル基板として構成したフレキシブルな情報表示用パネルとした場合において、情報表示用パネルを曲げたときに応力が集中する電気的接続点に、耐亀裂性に優れた金属製導電膜からなる配線電極を配置したので、亀裂発生による割れ、破壊が起こりにくくなり、断線による不具合が起こりにくくなる。
【００２８】
図６（ａ）、（ｂ）に示す例において、観察面側の電極は、表示領域に設けられたストライプ電極３１と、ストライプ電極３１を表示領域の外側に延長した配線電極３２と、から構成される。本実施例の情報表示用パネルの特徴は、観察面側の表示領域に設ける電極として、ストライプ電極３１を透明なＩＴＯ等の無機導電性材料から形成するとともに、表示領域の外側でストライプ電極３１を延長した配線電極３２を、表示領域および表示領域の外側まで連続し、表示領域では透明な無機導電材料からなるストライプ電極３１に電気的に接続するようにして形成した金属細線３７により配線電極３２を構成した点である。なお、本例において金属細線を目で見て識別ができない例えば５０μｍ以下の細線とすることで、観察面側に設けても表示特性に不具合を与えない。背面側の表示領域に設ける電極は、表示領域に観察面側のストライプ電極３１と直交して設けられたストライプ電極３３および表示領域の外側の、ストライプ電極３３を延長した配線電極３４を一体に金属電極で構成している。また、背面側の基板には、観察面側の金属材料からなる配線電極３２先端の接続用電極３８を背面側で外部装置と接続するために用いる先端の接続用電極と、観察面側基板の接続用電極３８との異方導電接続するもう一方の先端の接続用電極３９とを有する配線電極３５をも設けている。そして、導電性粒子を含んだ異方導電部材３６（ＡＣＳ）により、観察面側の金属材料からなる配線電極３２先端の接続用電極３８と背面側の配線電極３５先端の接続用電極３９とを、図中○印の部分で電気的に接続している。また、○印で示したＡＣＳによる電気的接続部分を、図の左右どちらか一方とするように、配線電極３２、３５を形成した構成にすることもある。
【００２９】
なお、図６（ａ）、（ｂ）に示す例においても、図５（ａ）、（ｂ）に示す例と同様に、Ｔで示す、背面側基板に設けた、背面側のストライプ電極３３と接続する配線電極３４の端部、および、観察面側のストライプ電極３３と異方導電部材３６を介して接続する配線電極３５先端の接続用電極３９とは反対側の端部は、駆動用ＩＣがＴＡＢ（Tape Automated Bonding）実装されたフレキシブルケーブルを接続したり、駆動用ＩＣを背面側基板の辺部に配置した接続用電極端子部に直接実装（ＣＯＰ：Chip on Plastic又はＣＯＧ：Chip on Glass）することで、外部回路としての駆動用ＩＣと接続される。また、図６（ａ）、（ｂ）に示す例においても、図５（ａ）、（ｂ）と同様に、良好な電気的接続を得ることができる。加えて、図６（ａ）、（ｂ）に示す例では、金属細線３７が観察面側のＩＴＯ等の、無機導電性材料からなるストライプ電極３１の長さ方向の縁部に設けられているため、ストライプ電極３１を補強する効果もある。
【００３０】
図７（ａ）、（ｂ）に示す例は、基本的に図６（ａ）、（ｂ）に示す例と同じ構成であり、特徴部分は、観察面側の配線電極３２および背面側の配線電極３４、３５を金属細線３７で構成した点にある。その点で、図７（ａ）、（ｂ）に示す例でも図６（ａ）、（ｂ）に示す例と同じ作用効果を得ることができる。図７（ａ）、（ｂ）に示す例において、図６（ａ）、（ｂ）に示す例と異なるのは、観察面側の配線電極３２だけでなく、背面側のストライプ電極３３と接続する配線電極３４、および、観察面側の配線電極３２先端の接続用電極３８と異方導電部材３６を介して接続される配線電極３５およびその先端の接続用電極３９を、金属細線で構成した点である。図７（ａ）、（ｂ）に示す例では、上述したように、配線電極３２、３４および３５（先端の接続用電極も含む）を、電気抵抗が小さい金属製の細線から構成しているため、表示領域外側部分が狭くても配線可能になり、情報表示用パネルを狭額縁にすることができる。
【００３１】
図３〜図７に示す例と同様に、図８も駆動用ＩＣと１辺（Ｔ）で接続する例を示しており、図８（ａ）〜（ｃ）では異方導電部材で接続する位置を駆動用ＩＣと接続する１辺（Ｔ）上とした例を示している。図８（ａ）は観察面側の基板と電極との関係を、図８（ｂ）は背面側の基板と電極との関係を、図８（ｃ）は観察面側基板および背面側基板を貼り合わせた状態を、それぞれ示している。
【００３２】
図８（ａ）〜（ｃ）に示す例に従って、本発明の情報表示用パネルの他の例を説明すると、まず、観察面側の基板として、図８（ａ）に示すように、透明なフィルム基板等からなる観察面側の基板４１の少なくとも表示領域４２に対応する位置に、透明な酸化インジウム錫（ＩＴＯ）などの無機導電性膜からなるストライプ電極４３をパターニングして形成する。また、表示領域４２の外側に、ストライプ電極４３に接続する金属材料からなる配線電極４８を形成する。次に、背面側の基板として、図８（ｂ）に示すように、背面側の基板４４上に、いずれも金属膜から構成されている、表示領域４２に対応する位置に設けられたストライプ電極４５、表示領域４２の外側に設けられた、ストライプ電極４５に接続する配線電極４６、および、観察面側の配線電極４８と異方導電性シール剤を介して電気的に接続する配線電極４７を、パターニングして形成する。次に、図８（ｃ）に示すように、導電粒子を含む異方導電性シール剤（ＡＣＳ）を、背面基板４４の表示領域４２の外側であって観察面側の配線電極４８と背面側の配線電極４７とが重なり合う部分に配置されるように、設けた状態で、観察面側の基板４１と背面側の基板４４とを貼り合わせることで、本発明の情報表示用パネルを得ている。
【００３３】
なお、図８（ａ）、（ｂ）に示す例において、Ｔで示す、背面側基板に設けた、背面側のストライプ電極３３と接続する配線電極３４の端部、および、観察面側のストライプ電極３３と異方導電部材３６を介して接続する配線電極３５先端の接続用電極３９とは反対側の端部は、駆動用ＩＣがＴＡＢ（Tape Automated Bonding）実装されたフレキシブルケーブルを接続したり、駆動用ＩＣを背面側基板の辺部に配置した接続用電極端子部に直接実装（ＣＯＰ：Chip on Plastic又はＣＯＧ：Chip on Glass）することで、外部回路としての駆動用ＩＣと接続される。
【００３４】
図８（ａ）〜（ｃ）に示す例においても、異方導電性シール剤で電気的に接続する接合点が、観察面側の金属材料からなる配線基板４８と背面側の金属材料からなる配線基板４７との間となるため、異方導電性シール剤中の導電粒子で電極が割れることはなく、断線は起こらない。
【００３５】
次に、図９（ａ）、（ｂ）を参照して、本発明の情報表示用パネルにおける異方導電接続の一例を説明する。
【００３６】
図９（ａ）、（ｂ）はそれぞれ本発明の情報表示用パネルにおける異方導電接続の一例としてＡＣＳ接続の例を示す図である。図９（ａ）に示す例は電極方向から見た様子を示し、図９（ｂ）に示す例は電極の横方向から見た様子を示している。図９（ａ）、（ｂ）に示す例において、観察側透明基板２の配線電極３２先端の接続用電極３８と背面側基板１の配線電極３５先端の接続用電極３９とを、異方導電部材、ここでは、ＡＣＳ３６により電気的に接続している。ＡＣＳ３６は、導電性粒子２５を非導電性樹脂２６に含ませて構成されており、図９（ａ）、（ｂ）に示すように、接続用電極３８同士間のスペースと接続用電極３９同士間のスペースとをともにＤ１とし、導電性粒子２５の平均粒子径をＤ２としたとき、Ｄ１／Ｄ２＞３の関係となるようにすることが好ましい。Ｄ１／Ｄ２が３以下であると、接続用電極３８間および接続用電極３９間で導電性粒子２５による短絡が発生する場合があるためである。
【００３７】
以下、本発明の情報表示用パネルにおける各構成部分について詳細に説明する。
【００３８】
パネル基板間ギャップ確保用として設けるパネル基板間ギャップ確保用隔壁や、セル形成専用のセル形成用隔壁の形成材料としては、ドライフィルムレジスト材が好適に用いられる。一例として、アルフォＮＩＴ２（ニチゴーモートン社製）やＰＤＦ３００（新日鐵化学社製）を使用することができる。形成したい隔壁部分の高さに合せた厚みのドライフィルムレジスト材をパネル基板に積層し、所定形状のフォトマスクを用いてフォトリソ法によってパターニングする。パネル基板間ギャップ確保用隔壁の幅は、２０μｍ〜１００μｍの範囲とし、セル形成用隔壁の幅は、５μｍ〜３０μｍの範囲とし、セル形成用隔壁の幅を、パネル基板間ギャップ確保用隔壁の幅よりも小さくする。
【００３９】
表示領域に対向して配置する電極（画素形成用電極）のうち、透明基板側に設ける透明電極用導電膜としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン等の透明導電性高分子類が挙げられる。
【００４０】
異方導電部材で接続する部分は透明電極をパターニングする前、または後にパターニングする。例えば透明電極をパターニングした後に、アルミニウム、銅、クロム、ニッケル、スズあるいはそれらの合金をスパッタリングで形成したり圧延膜をエッチングしたりしてパターニングする。
【００４１】
背面側基板に設ける電極用導電膜として、観察面側基板に設けたものと同じものを用いることができる。表示領域において対向して配置する電極（画素形成用電極）も表示領域以外に配置する電極も透明である必要がなく、ポリアニリン、ポリピロール、ポリチオフェン等の導電性高分子類や、金、銀、銅、アルミニウム、ニッケル、クロム等の金属や、これらの金属を主成分とする合金等の可とう性を有する導電性材料を配置することが好ましい。背面側基板に設ける電極は透明であってもよいし、透明でなくても良い。本発明では、観察面側、背面側のいずれにおいても、電気的な接続のために異方導電部材を配置する電極部分（接続用電極）を上記例示した金属膜で構成する。
【００４２】
電極用導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、表示領域内に設ける観察面側の画素形成用電極の厚みは、導電性が確保でき光透過性に支障がなければ良く、０．０１〜１０μｍが好ましく、０．０５〜５μｍがより好ましい。また、表示領域外に設ける関節面側の配線電極の厚みおよび背面側基板に設ける電極の厚みは、導電性が確保できれば良く、０．０１〜１０μｍが好ましく、０．０５〜５μｍがより好ましい。
【００４３】
観察面側の画素電極として好適なＩＴＯ等の導電性を有する無機材料は、金属材料に比べて可とう性が小さい。フレキシブルな情報表示用パネルを構成する観察面側電極をストライプ状電極とする場合には、透明電極材中での断線防止のため、金属細線と併用することが好ましい。この金属細線の幅は、１μｍ〜１０μｍとすれば表示視認性の妨げとならないので好ましい。背面側電極は光透過性を考慮する必要がないので電気抵抗が小さく、可とう性にも優れた前記金属材料が好適に用いられる。また、背面側電極厚みは電気抵抗および生産性、コストの観点から、０．０１〜１０μｍに設計される。
【００４４】
次に、本発明の情報表示用パネルにおいて表示媒体とする粒子群を構成する帯電性粒子（以下、粒子ともいう）について説明する。粒子は、そのまま粒子だけで構成して表示媒体としたり、その他の粒子と合わせて構成して表示媒体としたりして用いられる。
粒子には、その主成分となる樹脂に、必要に応じて、荷電制御剤、着色剤、無機添加剤等を含ますことができる。以下に、樹脂、荷電制御剤、着色剤、その他添加剤を例示する。
【００４５】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００４６】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４７】
着色剤としては、以下に例示するような、有機または無機の各種、各色の顔料、染料が使用可能である。
【００４８】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４９】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００５０】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００５１】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の粒子を作製できる。
【００５２】
また、粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００５３】
さらに本発明では、各粒子群の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子群が含む粒子のサイズが揃い、表示媒体としての均一な移動が可能となる。
【００５４】
さらにまた、使用した粒子群の内、最大径を有する粒子群のd(0.5)に対する最小径を有する粒子群のd(0.5)の比を１０以下とすることが肝要である。たとえ粒子径分布Spanを小さくしたとしても、互いに帯電特性の異なる粒子が互いに反対方向に動くので、互いの粒子サイズを同程度とし反対方向に容易に移動できるようにするのが好適であり、それがこの範囲となる。
【００５５】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００５６】
さらに、表示媒体とする粒子群を気体中空間で駆動させる情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図２（ａ）、（ｂ）において、対向する基板１、基板２に挟まれる部分から、電極５、６（電極を基板の内側に設けた場合）、表示媒体３Ｗ、３Ｂの占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００５７】
本発明の情報表示用パネルにおける基板と基板との間隔は、表示媒体が移動できて、コントラストを維持できればよいが、通常１０〜５００μｍ、好ましくは１０〜２００μｍに、さらに好ましくは１０〜１００μｍ、特に好ましくは１０〜５０μｍに調整される。
対向する基板間の気中空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【産業上の利用可能性】
【００５８】
本発明の情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point of presence, Point of purchase advertising）、電子値札、電子棚札、電子楽譜、RF-ID機器の表示部のほか、ＰＯＳ端末、カーナビゲーション装置、時計など様々な電子機器の表示部に好適に用いられるほか、外部の駆動装置と接続して、表示させる情報画像の書換えを行う方式の情報表示用パネル（いわゆるリライタブルペーパー）としても好適に用いられる。
【００５９】
なお、本発明に係る情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式など、種々のタイプの情報表示用パネルの駆動方式を用いることができる。
【符号の説明】
【００６０】
１、２  基板
３Ｗ  白色表示媒体
３Ｗａ  負帯電性白色粒子
３Ｂ  黒色表示媒体
３Ｂａ  正帯電性黒色粒子
４  隔壁
５、６  電極
８  絶縁液体
９  マイクロカプセル
２１−１  第１のセル
２１−２  第２のセル
２１−３  第３のセル
２２Ｒ  赤色カラーフィルター
２２Ｇ  緑色カラーフィルター
２２ＢＬ  青色カラーフィルター
２５  導電性粒子
２６  非導電性樹脂
３１、３３、４３、４５  ストライプ電極
３２、３４、３５、４６、４７、４８  配線電極
３６  異方導電部材
３７  金属細線
３８、３９  接続用電極
４１  観察面側の基板
４２  表示領域
４４  背面側の基板
【図１】
2010169759.tif 000003
【図２】
2010169759.tif 000004
【図３】
2010169759.tif 000005
【図４】
2010169759.tif 000006
【図５】
2010169759.tif 000007
【図６】
2010169759.tif 000008
【図７】
2010169759.tif 000009
【図８】
2010169759.tif 000010
【図９】
2010169759.tif 000011
【図１０】
2010169759.tif 000012